(57)【特許請求の範囲】
【請求項１】
内側表面が透明層で、該透明層の裏側に加飾層，補強層が積層状に形成されてなる浴槽の、浴槽内の水中に没する部位に、前記補強層及び加飾層を裏側から切り欠いて切欠部を形成させ、この切欠部により、前記透明層のみからなる透光窓が形成されてなり、該透光窓を通してＬＥＤ（発光ダイオード）の光を浴槽内に照射し得るように構成したことを特徴とする浴槽の演出照明装置。
【発明の詳細な説明】
【０００１】
【産業上の利用分野】
この発明は、浴槽内の水中を良好に演出できる照明装置に関するものである。
【０００２】
【従来の技術及びその課題】
浴槽を演出するために蛍光灯とか白熱灯を用いる場合には、感電対策を施す必要上、光ケーブル等を用いる必要があり、コスト高となってしまい、また蛍光灯とか白熱灯は寿命が短く、頻繁に取り換えなければならないという問題点があった。
そこで、半永久的に使用でき、かつ低温度、低電圧で使用できる小型のＬＥＤ（発光ダイオード）による浴槽の演出照明が考えられるが、ＬＥＤを用いて浴槽内を照明する場合に、浴槽に照明用の開口を形成させる必要があり、加工費が掛かってしまうという問題点が発生し、また、浴槽の開口からの水漏れを完全に遮断する方策を講じなければならないという新たな問題点が発生してくる。
【０００３】
【課題を解決するための手段】
本発明は上記従来の問題点に鑑み案出したものであって、小型で半永久的に低電圧で安全に使用できるＬＥＤを用いた浴槽照明が得られ、しかも浴槽に開口部を新たに形成させる必要のない浴槽の照明装置を提供せんことを目的とし、その要旨は、内側表面が透明層で、該透明層の裏側に加飾層，補強層が積層状に形成されてなる浴槽の、浴槽内の水中に没する部位に、前記補強層及び加飾層を裏側から切り欠いて切欠部を形成させ、この切欠部により、前記透明層のみからなる透光窓が形成されてなり、該透光窓を通してＬＥＤ（発光ダイオード）の光を浴槽内に照射し得るように構成したことである。
【０００４】
【実施例】
以下、本発明の実施例を図面に基づいて説明する。
図１は、浴槽の一例を示す断面構成図であり、この浴槽１は、内側表面がアクリル等の透明材で形成した透明層１ａとなっており、その裏側に、加飾層１ｂが形成され、さらにその裏側には、補強用の補強層１ｃが形成されたものとなっており、このような透明層１ａを有する浴槽１においては、浴槽１の側壁面１Ａとか底面１Ｂなどの水中に没する部位に、前記補強層１ｃ及び加飾層１ｂを裏側から切り欠いて切欠部２を形成させ、この切欠部２により、透明層１ａのみからなる透光窓２ａが形成されることとなり、この透光窓２ａの裏側の切欠部２内に水中照明器３を取り付け、この水中照明器３内には、小型で、低電圧かつ低温で光を発するＬＥＤ（発光ダイオード）４を設けておき、ＬＥＤ４からの光を、透光窓２ａを通して浴槽１の水中に照射し、浴槽内の水中照明を行って、浴槽を演出することができ、ＬＥＤ４を複数の色の異なるもので構成しておけば、適宜色の異なる光を浴槽の水中内に照射して、演出効果を高めることができるものである。
【０００５】
なお、本例では、加飾層１ｂ及び補強層１ｃのみに切欠部２を形成させるもので、浴槽に貫通孔が形成されるものではないため、浴槽１内の水が外側へ漏れ出すことがなく、パッキン等を用いる必要がなく、水漏れを完全に避けることができる。
【０００６】
次に、浴槽１の側壁面１Ａに、浴槽内にジェット噴流を噴出させることのできる噴流金具５が取り付けられている場合においては、この噴流金具５を利用して、この噴流金具５内にＬＥＤを設けて、噴流金具５の吹出口６ａから良好に浴槽の水中内に光を照射させ、水中内を演出照明することができるものとなる。
【０００７】
即ち、図２に示すように、図示しない循環ポンプにより浴槽内の湯が循環されて、噴流金具５に設けられた水流路５ａを通り噴流金具５内に勢いよく湯が戻され、同時に空気が巻き込まれ、噴流金具５の浴槽の内側に取り付けられたカバー部材６に形成されている吹出口６ａから、浴槽内に空気が混入された湯が噴出される構成において、この噴流金具５内にコード７ａを有するＬＥＤ７を設け、または、カバー部材６にコード８ａを有するＬＥＤ８が設け、このＬＥＤ７または８から光を浴槽の水中内に良好に照射させて、水中照明を行えるように構成することができる。
【０００８】
なお、カバー部材６は、吹出口６ａの回りに複数のＬＥＤ８，８，８を設けたものと、ＬＥＤを設けていないものを２種類用意しておき、水中照明が必要でない場合には、ＬＥＤ８を設けていないカバー部材６を噴流金具５に取り付けて、ジェット噴流のみを噴出させることができるように構成することができ、また、ＬＥＤ８を備えたカバー部材６に取り換えて、水中照明も可能なように構成することができ、カバー部材６を容易に着脱して取り換えることができるように構成しておけば便利である。
【０００９】
なお、本例では、予め浴槽１に設置された噴流金具５を利用してＬＥＤ７，８を取り付けるものであるため、ＬＥＤ７，８からの光を水中に照射させるために別途新たな開口を浴槽に形成させる必要がなく、浴槽の加工性が向上するものとなる。
【００１０】
なお、図３は、図２を変更したものであり、図３では、噴流金具５に着脱可能に取り付けられるカバー部材６に、吹出口６ａの周囲にＬＥＤ９を設け、このＬＥＤ９には、カバー部材６内において電磁誘導受信部９ａが接続されており、この電磁誘導受信部９ａに対し、浴槽１の外側に電磁誘導発信部１０を設置したものであり、このような構造では、コードを必要とせず、電磁誘導による非接触の起電圧によりＬＥＤ９を発光させることができるものとなり、ＬＥＤ９への給電コードなどを浴槽の面に貫通させる必要がなく、漏水の可能性を低減することができ、既に取り付けられている噴流金具５に対しカバー部材６のみを取り換えて、内側よりＬＥＤ９を備えたカバー部材６を取り付け、容易に水中照明を後付け施工できるものとなる。
【００１１】
次に、図４では、浴槽１の底面１Ｂに、気泡を噴出させることのできる気泡金具１１が取り付けられている場合において、この気泡金具１１は、コンプレッサーとかポンプ等に接続された空気通路１ａを備え、気泡金具１１にはカバー部材１２が着脱可能に挿着されており、カバー部材１２と、気泡金具１１間に形成される吹出口１４から気泡が吹き出され、浴槽の底面から気泡を噴出させることができるもので、カバー部材１２には気泡金具１１に挿着される筒状の挿着部１２ａが形成され、挿着部１２ａには水漏れを防ぐオーリング１３が外嵌されたものとなっている。
【００１２】
また、カバー部材１２は、ＬＥＤ１５を備えたものと、備えないものの２種類が用意されており、ＬＥＤ１５を有しないものを取り付けることもでき、また、ＬＥＤ１５を備えたカバー部材１２を気泡金具１１に取り付けた場合には、良好にＬＥＤ１５からの光を浴槽１内の水中に照射して、気泡とともに良好な水中照明を行え、浴槽内の演出効果を高めることができるものとなる。
【００１３】
なお、ＬＥＤ１５には挿着部１２ａ内において電磁誘導受信部１５ａが設けられており、この電磁誘導受信部１５ａに対し、気泡金具１１の外側に電磁誘導発信部１６を設置して、電磁誘導による起電圧により良好にＬＥＤ１５を発光させることができるように構成したものである。
このようにＬＥＤ１５を備えたカバー部材１２に取り換えて、後付けで水中照明を行うことができ、コード等を浴槽に貫通させて配線する必要がなく、水漏れも完全に無くすことができて、施工が容易なものとなる。
【００１４】
【発明の効果】
本発明の浴槽の演出照明装置は、内側表面が透明層で、該透明層の裏側に加飾層，補強層が積層状に形成されてなる浴槽の、浴槽内の水中に没する部位に、前記補強層及び加飾層を裏側から切り欠いて切欠部を形成させ、この切欠部により、前記透明層のみからなる透光窓が形成されてなり、該透光窓を通してＬＥＤ（発光ダイオード）の光を浴槽内に照射し得るように構成したことにより、加飾層及び補強層のみに切欠部を形成させるもので、浴槽に貫通孔が形成されるものではないため、浴槽内の水が外側へ漏れ出すことがなく、パッキン等を用いる必要がなく、水漏れを完全に避けることができ、良好に外側からＬＥＤを配置させて、ＬＥＤからの光を透光窓を通し浴槽内に照射して、浴槽内の水中を良好に演出照明することができるものとなる。
【図面の簡単な説明】
【図１】  浴槽の断面概略構成図である。
【図２】  浴槽に設けられた噴流金具にＬＥＤを設置した状態の断面と、取り換え可能なカバー部材の分解斜視図である。
【図３】  さらに構成の異なるカバー部材の分解図である。
【図４】  ＬＥＤを備えたカバー部材と、備えないカバー部材を、浴槽の底面に設けた気泡金具に取付可能に構成した場合の分解図である。
【符号の説明】
１  浴槽
１ａ  透明層
１ｂ  加飾層
１ｃ  補強層
２  切欠部
２ａ  透光窓
３  水中照明器
４  ＬＥＤ（発光ダイオード）
５  噴流金具
５ａ  水流路
６  カバー部材
６ａ  吹出口
７，８  ＬＥＤ
７ａ，８ａ  コード
９  ＬＥＤ
９ａ  電磁誘導受信部
１０  電磁誘導発信部
１１  気泡金具
１１ａ  空気通路
１２  カバー部材
１２ａ  挿着部
１３  オーリング
１４  気泡吹出口
１５  ＬＥＤ
１５ａ  電磁誘導受信部
１６  電磁誘導発信部
【図１】
0003687063.tif 000002
【図２】
0003687063.tif 000003
【図３】
0003687063.tif 000004
【図４】
0003687063.tif 000005